(57)【要約】【課題】励起光を傾けて照射することにより、皮膚状態の測定の再現性が悪くなる。【解決手段】励起光源から導光される励起光を生体に照射する照射部と、励起光の照射によって生じる蛍光を受光する受光部とを備えるプローブを有する測定装置であって、照射部を保持するとともに生体に接触する接触部と、励起光の生体に対する照射角度が調節されるように接触部を可動させる可動機構とを備えている。【選択図】図１
2013140038.tif 000002
【特許請求の範囲】
【請求項１】
励起光源から導光される励起光を生体に照射する照射部と、前記励起光の照射によって生じる蛍光を受光する受光部とを備えるプローブを有する測定装置であって、
前記照射部を保持するとともに前記生体に接触する接触部と、
前記励起光の前記生体に対する照射角度が調節されるように前記接触部を可動させる可動機構とを備えていることを特徴とする測定装置。
【請求項２】
前記可動機構は、前記接触部を第１回転軸に関して回転させる第１回転機構を有していることを特徴とする請求項１に記載の測定装置。
【請求項３】
前記可動機構は、さらに、前記接触部を前記第１回転軸とは平行でない第２回転軸に関して回転させる第２回転機構を有していることを特徴とする請求項２に記載の測定装置。
【請求項４】
前記可動機構は、前記接触部と前記生体とを離間ないし接近させる方向に移動させる移動機構を有することを特徴とする請求項２または３に記載の測定装置。
【請求項５】
前記励起光は、前記生体が前記接触部と接触する面である接触面の法線と近い照射角度から、前記生体に照射されることを特徴とする請求項１から４の何れか１項に記載の測定装置。
【請求項６】
前記励起光は、後期糖化反応生成物を測定するために適した波長範囲を有していることを特徴とする請求項１から５の何れか１項に記載の測定装置。
【請求項７】
前記可動機構は、前記接触部とプローブ本体部との間に設けられる弾性体によって構成されていることを特徴とする請求項１に記載の測定装置。
【請求項８】
前記可動機構は、前記接触部が前記生体に接触していないときには、所定の位置に前記接触部を戻すことを特徴とする請求項１から７の何れか１項に記載の測定装置。
【請求項９】
前記可動機構は、前記接触部とプローブ本体との間に設けられ、前記接触部を前記プローブ本体に対して回転させる回転体によって構成されていることを特徴とする請求項１に記載の測定装置。
【請求項１０】
前記接触部が前記生体と接触する接触面と同一平面にて、前記生体と接触する接触補助部を有していることを特徴とする請求項１から９の何れか１項に記載の測定装置。
【発明の詳細な説明】
【技術分野】
【０００１】
本発明は、肌の状態を測定する測定装置に関する。
【背景技術】
【０００２】
従来、抗糖化（抗加齢）化粧品として、肌に蓄積したＡＧＥｓ（Advanced Glycation Endproducts；後期糖化反応生成物）の低減を目的としたものが商品化されている。このＡＧＥｓは、タンパク質と、糖質や脂質との非酵素的糖付加反応（メイラード反応）により形成される最終生成物であり、黄褐色を呈し、その一部は蛍光を発する物質である。また、ＡＧＥｓは、近くに存在する構造蛋白質と結合して架橋を形成する性質を有している。特にＡＧＥｓと真皮を構成しているコラーゲンとの架橋は、皮膚の弾力性を低下させ、また、しわやくすみの原因としても問題となっている。そのため、ＡＧＥｓをモニタリングすることで、肌の健康状態、老化を評価することができる。
【０００３】
皮膚中に蓄積したＡＧＥｓ量を正確に評価可能な装置は、ＡＧＥｓを減少させる市販のクリーム等によるケアの必要性を、ユーザに認識させる手段として有用である。
【０００４】
そこで、皮膚状態を評価可能な装置として、特許文献１のような装置が知られている。特許文献１では、少なくとも一つ以上の光源から照射された励起光を皮膚に照射し、皮膚から反射された蛍光をパラメーターとすることによって、皮膚状態を測定する装置が開示されている。
【先行技術文献】
【特許文献】
【０００５】
【特許文献１】米国特許第２００７／０００４９７２（２００７年１月４日公開）
【発明の概要】
【発明が解決しようとする課題】
【０００６】
励起光は、皮膚表面に対して一定角度で且つ安定的に照射されることが好ましい。つまり、予め定められている照射角度よりもプローブを傾けて皮膚表面に接触させてしまうと、皮膚内を進行する励起光が、皮膚内で望ましい伝搬距離を進行できない可能性がある。しかしながら、前記特許文献１に開示されているような皮膚状態を評価する装置であれば、励起光を皮膚表面に照射するときに、皮膚表面に対して傾けてプローブを接触させてしまうと、予め定められている照射角度よりも傾けた角度のまま励起光を照射してしまい、また、安定的な照射を行うことが難しいという問題が生じる。
【０００７】
なぜなら、特許文献１に記載の装置では、ユーザが、プローブを皮膚表面に接触させるとき、プローブが皮膚表面に接触する面が適切になるかどうかは、ユーザの接触させ方次第であるからである。もし、ユーザがプローブを傾けた状態で皮膚に接触させたとしても、それを修正する手段はプローブには備えられていない。そのため、皮膚表面に対して、傾けた角度で励起光を照射し、皮膚状態を測定することになる。また、接触状態を安定させ、プローブから安定的な励起光の照射ができるかどうかもユーザ次第である。よって、測定の再現性が悪くなる。
【０００８】
本発明は、前記問題点に鑑みてなされたものであり、ユーザが、プローブを傾けて皮膚表面に接触させたときであっても、励起光の照射角度を調節することができる機構をプローブにとりつけ、より適切にプローブを皮膚表面に接触させ、測定の再現性を向上させることができる測定装置を提供することにある。
【課題を解決するための手段】
【０００９】
本発明に係る測定装置は、励起光源から導光される励起光を生体に照射する照射部と、前記励起光の照射によって生じる蛍光を受光する受光部とを備えるプローブを有する測定装置であって、前記照射部を保持するとともに前記生体に接触する接触部と、前記励起光の前記生体に対する照射角度が調節されるように前記接触部を可動させる可動機構とを備えていることを特徴としている。
【００１０】
前記構成のように、可動機構を備えることにより、接触部を可動させることができる。そのため、接触部が保持している照射部から生体に照射される励起光の照射角度を調節することができ、照射部は、適切な照射角度で励起光を生体に照射することができる。ゆえに、測定の再現性を向上させることができる。
【００１１】
さらに、本発明の測定装置は、前記構成の測定装置において、前記可動機構が、前記接触部を第１回転軸に関して回転させる第１回転機構を有するものであることが好ましい。
【００１２】
前記構成のように、接触部を第１回転軸に関して回転させる第１回転機構を設けることにより、励起光の照射角度を第１回転軸に関して調節できる。また、第１回転機構は、たとえば回転軸および軸受という、簡便な構成で実現できる。すなわち、測定の再現性を簡便な構成で実現することが可能となる。
【００１３】
さらに、本発明の測定装置は、前記構成の測定装置において、前記可動機構が、さらに、前記接触部を前記第１回転軸とは平行でない第２回転軸に関して回転させる第２回転機構を有するものであることが好ましい。
【００１４】
前記構成のように、第１回転機構に加えて第２回転機構を設けることにより、励起光の照射角度を、第１回転軸および第２回転軸の両方に関して調節することができる。これにより、よりフレキシブルに励起光の照射角度を調節することができ、さらに測定の再現性を向上させることができる。
【００１５】
さらに、本発明の測定装置は、前記構成の測定装置において、前記可動機構が、前記接触部と前記生体とを離間ないし接近させる方向に移動させる移動機構を有するものであることが好ましい。
【００１６】
前記構成のように、移動機構が、接触部を生体に対して離間ないし接近させる方向に移動させることによって、接触部が生体に与える圧力を調節することができる。これにより、適切な圧力で接触部を生体に接触させることができ、励起光の照射角度を安定させ、測定の再現性をさらに向上させることができる。
【００１７】
さらに、本発明の測定装置は、前記構成の測定装置において、前記励起光が、前記生体が前記接触部と接触する面である接触面の法線と近い照射角度から、前記生体に照射されるものであることが好ましい。
【００１８】
前記構成のように、励起光を接触面の法線に近い照射角度で生体に照射すれば、生体内部における強度損失を低減することができる。これにより、励起光の照射により生体から発生する蛍光について、測定に十分な強度を確保しやすくなり、測定の再現性がさらによくなる。
【００１９】
さらに、本発明の測定装置は、前記構成の測定装置において、前記励起光が、後期糖化反応生成物を測定するために適した波長範囲を有していることが好ましい。
【００２０】
前記励起光の波長範囲を、後期糖化反応生成物を測定するために適した波長範囲とすることによって、生体内のＡＧＥｓの測定を適切に行うことができる。
【００２１】
さらに、本発明の測定装置は、前記構成の測定装置において、前記可動機構が、前記接触部とプローブ本体部との間に設けられる弾性体によって構成されていてもよい。
【００２２】
前記弾性体はスプリングやゴム等の簡易な部材を用いることができ、安価に可動機構を実現できる。
【００２３】
さらに、本発明の測定装置は、前記構成の測定装置において、前記可動機構が、前記接触部が前記生体に接触していないときに、所定の位置に前記接触部を戻すものであることが好ましい。
【００２４】
前記構成のように、接触部が、生体に接触していないとき、つまり、接触部に外力が働いていないときには、接触部を所定の位置に戻す構成にすることにより、生体（ユーザ）に実使用上の習熟度を向上させることができる。それは、生体が、接触部を皮膚表面に接触させるときに、接触部が所定の位置にあることで、所定の位置で接触を行うことを生体に意識付けることができ、生体は所定の位置で接触を行うトレーニングをすることができるからである。そのため、生体の実使用上の習熟度が向上し、接触角度、圧力等が適切な状態で接触部が生体に接触させられるため、測定再現性の向上に繋がる。
【００２５】
さらに、本発明の測定装置は、前記構成の測定装置において、前記可動機構が、前記接触部とプローブ本体との間に設けられ、前記接触部を前記プローブ本体に対して回転させる回転体によって構成されていることが好ましい。
【００２６】
前記構成のように、回転体を接触部とプローブ本体との間に設けることによって、前記接触部をプローブ本体に対して滑らかに回転させることができる。これにより、照射角度の調節も滑らかに行うことができ、再現性の高い測定を簡便な操作で行うことができるプローブを実現できる。
【００２７】
さらに、本発明の測定装置は、前記構成の測定装置において、前記接触部が前記生体と接触する接触面と同一平面にて、前記生体と接触する接触補助部を有するものであることが好ましい。
【００２８】
前記構成により、接触部が生体と接触している接触面だけでなく、接触補助部が生体と接している面においても、プローブと生体とを接触させることができる。これにより、プローブが生体に対して接触する総面積が、接触部だけを生体に接触させる場合よりも大きくなるので、ユーザは、少ない力を加えるだけで接触部を可動させることができ、照射角度の調節をより容易に行うことができる。また、接触部と生体との接触面がずれることを防ぎ、より安定した状態で励起光を生体に照射することができるので、測定の再現性をより向上させることができる。
【発明の効果】
【００２９】
本発明に係る測定装置は、前記のように構成されることにより、適切に励起光を照射することができ、測定の再現性を高めることができる。
【図面の簡単な説明】
【００３０】
【図１】本発明の一実施形態に係る測定装置に設けられるプローブを示す縦断面図である。
【図２】図２（ａ）は、図１のプローブに設けられるＸ方向可動部を上方からみた図であり、図２（ｂ）は、Ｘ方向可動部を正面からみた図であり、図２（ｃ）は、Ｘ方向可動部を下方からみた図であり、図２（ｄ）は、Ｘ方向可動部を側方からみた図である。
【図３】図３（ａ）は、図１のプローブに設けられるＹ方向可動部を上方からみた図であり、図３（ｂ）は、Ｙ方向可動部を正面からみた図であり、図３（ｃ）は、Ｙ方向可動部を下方からみた図であり、図３（ｄ）は、Ｙ方向可動部を側方からみた図である。
【図４】図１のプローブに設けられるプローブ取手部を示す縦断面図である。
【図５】図１のプローブに設けられるバンドルファイバーの断面であり、励起側光ファイバー、および受光側光ファイバーの配置を示す図である。
【図６】本発明の測定装置の一実施形態に係る構成を示す図である。
【図７】図７（ａ）および図７（ｂ）は、励起光を照射する角度が調整される際のＸ方向可動部の動作を説明する図である。
【図８】図８（ａ）および図８（ｂ）は、Ｚ方向可動部を取り付けたときのプローブを示す縦断面図である。
【図９】図９（ａ）はＸ方向可動部とＹ方向可動部との間に初期位置設定機構を設けたときの構成を正面からみた図であり、図９（ｂ）は、図９（ａ）の構成をＡ−Ａ’線に沿って切断した断面図であり、図９（ｃ）は、Ｘ方向可動部とＹ方向可動部との間に初期位置設定機構を設けたときの構成を正面からみた図である。
【図１０】Ｘ方向可動部とＹ方向可動部との間に初期位置設定機構を設けるとともに、Ｙ方向可動部とプローブ取手部との間に初期位置設定機構を設けた構成を示す縦断面図である。
【図１１】プローブにおける可動部とプローブ取手部との間の一部に弾性可動機構を設けた構成を示す断面図である。
【図１２】プローブにおける可動部とプローブ取手部との間の全部に弾性可動機構を設けた構成を示す縦断面図である。
【図１３】図１３（ａ）は、プローブにおける可動部とプローブ取手部との間に球体を備えた構成を示す縦断面図であり、図１３（ｂ）は、プローブにおける可動部とプローブ取手部との間に球体を備えた構成を示す横断面図である。
【図１４】図１４は、プローブにおける可動部とプローブ取手部との間にローラーを備えた構成を示す横断面図である。
【図１５】図１５（ａ）は、プローブの接触平面が狭い面積で構成されたＸ方向可動部を上方からみた図であり、図１５（ｂ）は、Ｘ方向可動部を正面からみた図であり、図１５（ｃ）は、Ｘ方向可動部を下方からみた図であり、図１５（ｄ）は、Ｘ方向可動部を側方からみた図である。
【図１６】図１６（ａ）は、Ｘ方向可動部に突起構造を２箇所配置した構成を示す図であり、図１６（ｂ）は、Ｘ方向可動部に突起構造を３箇所配置した構成を示す図であり、図１６（ｃ）は、Ｘ方向可動部に突起構造を６箇所配置した構成を示す図であり、図１６（ｄ）はＸ方向可動部における接触平面を取り囲むように隆起した円形状の隆起構造を配置した構成を示す図である。
【図１７】図１７（ａ）および図１７（ｂ）は、突起構造または隆起構造をＸ方向可動部に配置したとき接触平面に係る力関係を示す図である。特に、図１７（ａ）は、皮膚表面に接触する面積が小さい状態を示す図であり、図１７（ｂ）は、皮膚表面に接触する面積を大きい状態を示す図である。
【発明を実施するための形態】
【００３１】
本発明は、プローブの先端を人間等の生体の皮膚表面に接触させ、皮膚表面に励起光を照射し、照射された励起光によって発生した蛍光を受光することにより、皮膚に生じる後期糖化反応生成物（以下ＡＧＥｓ）を測定する装置である。励起光は、皮膚表面に対して、一定角度で且つ安定的に照射されることが好ましい。なぜなら、本発明が測定の対象としているＡＧＥｓは、皮膚の表面だけでなく、皮膚の内部にも蓄積しているものであり、目的に応じて測定対象深さを制御する必要性から、一定角度をつけて測定を行う必要があるからである。本発明は、励起光を皮膚表面に対して、簡易に一定角度で且つ安定的に照射することができるような装置を実現することを目指したものである。
【００３２】
なお、本実施形態中の説明は、説明の便宜上、励起光は接触面である皮膚表面の法線方向から照射される構成としている。
【００３３】
ただし、上記法線方向に関して傾斜した角度から励起光を照射してもよい。上記法線方向から傾斜した方向から照射することにより、皮膚の内部を進行する励起光の伝搬距離が、法線方向から照射した場合よりも長くなる。その結果、皮膚表面から深い層に比べ、皮膚表面に近い層の方が、励起光強度の相対値が大きくなる。すなわち、皮膚表面に近い層を選択的に励起することができるという効果を奏する。
【００３４】
本発明の実施形態について、図１〜図１７に基づいて説明すると以下の通りである。
【００３５】
なお、説明の便宜上、前記実施の形態にて説明した図面と同じ機能を有する部材については、同じ符号を付記し、その説明を省略する。また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００３６】
〔１．プローブの構成について〕
図１は、本発明の一実施形態に係る測定装置１に搭載されるプローブ２の構成を示す縦断面図である。
【００３７】
図１に示すように、本実施形態に係るプローブ２は、プローブ取手部（プローブ本体部）３と、Ｘ方向可動部（第１回転機構）４と、Ｙ方向可動部（第２回転機構）５と、ユーザに接触する接触平面（接触部）６と、Ｘ方向回転軸（第１回転軸）７と、Ｙ方向回転軸（第２回転軸）８と、バンドルファイバー９とを有している。
【００３８】
そして、詳細は後述するが、測定装置１に設けられたＸ方向可動部３またはＹ方向可動部４により、適切に皮膚表面に接触するよう接触平面６を可動させる可動機構が構成される。すなわち、励起光を生体に照射する照射部と生体から反射された蛍光を受光する受光部とを保持する接触平面６が皮膚表面に対して傾いた状態で接触したとき、可動機構によって接触平面６が適切に皮膚表面に接触するように調節されるのである。
【００３９】
より具体的に説明すれば、Ｘ方向可動部４は、Ｘ方向回転軸７を回転軸として可動する。一方、Ｙ方向可動部５は、Ｙ方向回転軸８を回転軸として可動する。このようにＸ方向可動部４およびＹ方向可動部５が可動することによって、接触平面６はＸ方向可動部４に連動するように可動する。これにより、Ｘ方向可動部４およびＹ方向可動部５は、接触平面６を適切に皮膚表面に接触させ、励起光の照射角度を調節する機能を有しているものである。
【００４０】
また、Ｙ方向可動部５は、プローブ取手部３と、Ｙ方向回転軸８によって接続されている。Ｙ方向回転軸８は、図１に示すように、Ｙ方向可動部５を、Ｙ方向回転軸８を回転軸として可動させるために、Ｙ方向可動部５に関して対称となるように２箇所に取り付けられている。ただし、Ｙ方向可動部５は、必ずしも備える必要はなく、Ｘ方向可動部４のみで励起光の照射角度を調節してもよい。Ｙ方向可動部５が備えられていないときには、Ｘ方向可動部４が上記で説明したようなＹ方向可動部５と同じ位置に配置されることになる。
【００４１】
さらに、Ｙ方向回転軸８を回転軸としてプローブ取手部３の内側でＹ方向可動部５を可動させるために、プローブ取手部３の皮膚表面に接触させる側には、Ｙ方向可動部５が可動する範囲の大きさの窪みが形成されている。
【００４２】
また、Ｘ方向可動部４は、Ｙ方向可動部５とＸ方向回転軸７によって接続されている。Ｘ方向回転軸７についても、Ｘ方向回転軸７を回転軸としてＸ方向可動部４を可動させるために、Ｘ方向可動部４に関して対称となるように２箇所に取り付けられている。ただし、図１においては、Ｘ方向回転軸７は１箇所のみしか記載されていないが、他の１箇所は、Ｘ方向可動部４を挟んで反対側に取り付けられていることに留意されたい。
【００４３】
さらに、Ｘ方向回転軸７を回転軸としてＹ方向可動部５の内側でＸ方向可動部４を可動させるために、Ｙ方向可動部５の内側には、Ｘ方向可動部４の可動する範囲を考慮した窪みが形成されている。
【００４４】
なお、２箇所のＸ方向回転軸７を直線で結んだときの軸線と、２箇所のＹ方向回転軸８を直線で結んだときの軸線は、平行または重ならないように配置することが好ましい。なぜなら、もし、２本の軸線が平行または重なるになるように、Ｘ方向回転軸７およびＹ方向回転軸８を取り付けると、Ｘ方向可動部４およびＹ方向可動部５は同じ方向に可動してしまう。これに伴い、励起光の照射角度の調節をすることができる方向が１方向のみになってしまう。
【００４５】
しかしながら、励起光の照射角度を１方向のみとするのであれば、Ｙ方向可動部５を取り付けずに、Ｘ方向可動部４のみで実現することができる。つまり、２本の軸線が平行または重なるようにＸ方向回転軸７およびＹ方向回転軸８を取り付け、Ｘ方向可動部４およびＹ方向可動部５の２つの可動部を設けると、部品数が増えるが１方向のみの可動しかできないので、わざわざ２つの可動部を設ける意味が無くなる虞があるからである。
【００４６】
すなわち、Ｘ方向回転軸７およびＹ方向回転軸８による２本の軸線は、ねじれの位置にある関係であり、互いに９０°異なる方向に伸びる方向に配置されていることが好ましい。それは、軸線を当該配置になるように、Ｘ方向回転軸７およびＹ方向回転軸８を取り付けることによって、Ｘ方向可動部４に取り付けられている後述する接触平面６の可動範囲が最大になり、フレキシブルに励起光の照射角度を調節することができるからである。なぜなら、Ｘ方向回転軸７により２方向に角度調節を行うことができ、しかもＹ方向回転軸８によりさらに２方向の角度調節ができるので、合計４方向の角度調節が実現されているからである。
【００４７】
また、接触平面６は、Ｘ方向可動部４に取り付けられ、後述するバンドルファイバー９を固定している。そして、接触平面６は、Ｘ方向可動部４またはＹ方向可動部５が可動することにより、それらの動きにともなった動作をする。
【００４８】
さらに、プローブ取手部３の内部には、接触平面６とは反対側からバンドルファイバー９が通されており、バンドルファイバー９の先端は、接触平面６によって挟み込まれるように接触平面６に固定されている。そして、バンドルファイバー９の内部には、後述するような２種類のファイバー（励起側光ファイバー１０、受光側光ファイバー１１）が挿入されている。
【００４９】
以下、各構成についての詳細を説明する。
【００５０】
〔１−１．Ｘ方向可動部の構成について〕
図２（ａ）は、Ｘ方向可動部４を上方からみた図であり、図２（ｂ）はＸ方向可動部４を正面からみた図であり、図２（ｃ）はＸ方向可動部４を下方からみた図であり、図２（ｄ）は、Ｘ方向可動部４を側方からみた図である。
【００５１】
図２（ａ）に示すように、Ｘ方向可動部４は、Ｘ方向可動本体部１２と、照射／受光孔１３と、バンドルファイバー通過穴１４ａと、２箇所のＸ方向回転軸受１５とを有している。
【００５２】
図２（ａ）に示される照射／受光孔１３は、バンドルファイバー通過穴１４ａを通過してバンドルファイバーを挿入することができるように、Ｘ方向可動本体部１２の中心に配置されている。照射／受光孔１３の大きさまたはおよび形状は、バンドルファイバー９に応じて自由に設計することができる。また、図２（ｂ）に示されるように、照射／受光孔１３は、Ｘ方向可動本体部１２の下部まで伸びており、バンドルファイバー通過穴１４ａに接続されている。
【００５３】
また、図２（ｂ）〜図２（ｄ）に示されるように、バンドルファイバー通過穴１４ａは、照射／受光孔１３よりも大きな穴となっている。これは、Ｘ方向可動部４が、Ｘ方向回転軸７を回転軸として可動するときに、バンドルファイバー９がＸ方向可動部４の中で動くことができる余裕のある領域が必要であるからである。
【００５４】
さらに、図２（ａ）、図２（ｂ）、図２（ｄ）に示されるＸ方向回転軸受１５は、Ｘ方向回転軸７を挿入するためのものである。そして、Ｘ方向回転軸受１５が配置される場所は、Ｘ方向回転軸７の配置に応じて決めればよい。ただし、２つのＸ方向回転軸受１５は、照射／受光孔１３に関して対称となる位置に配置されていることが好ましい。
【００５５】
〔１−２．Ｙ方向可動部の構成について〕
図３（ａ）は、Ｙ方向可動部５を上方からみた図であり、図３（ｂ）はＹ方向可動部５を正面からみた図であり、図３（ｃ）は、Ｙ方向可動部５を下方からみた図であり、図３（ｄ）はＹ方向可動部５を側方からみた図である。
【００５６】
図３（ａ）から図３（ｄ）に示されるように、Ｙ方向可動部５は、Ｙ方向可動本体部１６と、２箇所のＸ方向回転軸７と、バンドルファイバー通過穴１４ｂと、２箇所のＹ方向回転軸受１７とを有している。
【００５７】
図３（ｂ）に示されるように、Ｙ方向可動本体部１６は、Ｘ方向回転軸８を介して、Ｘ方向可動部４と接続されるため、Ｙ方向可動本体部１６の内側に、窪みがある形状となっている。窪みの大きさは、Ｘ方向可動部４が、Ｘ方向回転軸８を回転の軸として、可動させることができる大きさであればよい。
【００５８】
図３（ａ）から図３（ｄ）に示される２箇所のＸ方向回転軸７は、Ｙ方向可動本体部１６にバンドルファイバー通過穴１４ｂに関して対称となるように配置されている。Ｘ方向回転軸７は、上述したとおり、Ｘ方向可動部４を可動させる回転の軸となるものである。
【００５９】
また、Ｘ方向回転軸７が配置されているＹ方向本体部１６の面とは異なる面に、２箇所のＹ方向回転軸受１７を配置する。Ｙ方向回転軸受１７についても、Ｘ方向回転軸７と同様に、バンドルファイバー通過穴１４ｂに関して対称となるように配置されている。さらに、Ｙ方向回転軸受１７には、Ｙ方向回転軸８が挿入される。
【００６０】
また、バンドルファイバー通過穴１４ｂは、バンドルファイバー通過穴１４ａと同様に、バンドルファイバー９を通過させるようになっている。バンドルファイバー通過穴１４ｂは、図３（ｃ）のように２箇所のＸ方向回転軸７を結んでできる軸線の方向に長い長方形の形状となっている。なぜなら、Ｙ方向可動部５がＹ方向回転軸８を回転軸として回転するときに、バンドルファイバー９は、Ｙ方向回転軸８の回転に伴って２箇所のＸ方向回転軸７を結んでできる軸線の方向に動く。そのため、バンドルファイバー９が動く領域が必要であるからである。
【００６１】
〔１−３．プローブ取手部の構成について〕
図４は、プローブ取手部３の縦断面図を示している。
【００６２】
プローブ取手部３は、Ｙ方向回転軸８と、バンドルファイバー通過穴１４ｃと、プローブ取手本体部１８とによって構成されている。
【００６３】
プローブ取手本体部１８は、人間の手で持ちやすいような形状・大きさとされる。また、プローブ取手本体部１８の皮膚表面に近づける側の先端は、窪みがある形状となっている。これは、先に説明したように、プローブ取手部３の上方に配置されているＹ方向可動部５が、Ｙ方向回転軸８を回転の軸として可動させられるようにするためである。
【００６４】
〔１−４．バンドルファイバーの構成について〕
図５はバンドルファイバー９の断面図を示した図である。バンドルファイバー９は、２種類の光ファイバーを束ねる役割をしており、励起側光ファイバー（照射部）１０および受光側光ファイバー（受光部）１１を束ねている。バンドルファイバー９の中心には、励起光を皮膚表面に照射することにより発生した蛍光を受光する受光側光ファイバー１１が配置されている。また、受光側光ファイバー１１の外周に、励起光を照射する励起側光ファイバー１０が複数設けられている。ただし、励起側光ファイバー１０および受光側光ファイバー１１は、図５に示された配置に限定されるものではなく適宜決定すればよい。しかしながら、受光側光ファイバー１１は、バンドルファイバー９の外部からの光をなるべく受光しないよう、バンドルファイバー９の中心位置近傍に設けられることが好ましい。また、励起側光ファイバー１０および受光側光ファイバー１１についての断面積（太さ）も適宜選択すればよい。
【００６５】
励起側光ファイバー１０は、後述する励起光源１９で発生させた励起光を、接触平面６が配置されている側にまで導光し、皮膚の表面に照射するものである。また、皮膚に励起光を照射することにより発生した蛍光は、受光側光ファイバー１１によって受光され、分光器２０に導光される。
【００６６】
〔１−５．測定装置概要について〕
図６は、本発明の測定装置１の全体を示す概要図である。図６に示すように、測定装置１は、測定装置本体部２１と、バンドルファイバー９と、プローブ２とから構成されている。
【００６７】
測定装置本体部２１は、励起光源１９および分光器２０が備えられている。励起光源１９にはバンドルファイバー９で束ねられている励起側光ファイバー１０が接続され、分光器２０には、受光側光ファイバー１１が接続されている。また、バンドルファイバー９は、測定装置本体部２１の反対側の先端がプローブ２に接続されている。プローブ２のバンドルファイバー９が接続されていない側は、測定時に皮膚表面に接触される。
【００６８】
また、励起光源１９で生成される励起光は、ＡＧＥｓを測定するために適している波長範囲であることが望まれる。つまり、励起光源１９から生成される励起光は、ＵＶＡの領域である３１５〜４００ｎｍの波長を有するものであることが好ましい。当該領域の波長を有する光を励起光とすることによって、ＡＧＥｓを適切に測定することができる。
【００６９】
さらに、分光器２０は、受光側光ファイバー１１で導光されてきた蛍光を検出し、分析するものである。その分析された結果を表示部２２に送信する。表示部２２は、分光器２０で分析された結果を表示し、ユーザに伝える役割をもっている。表示部２２は、映像を表示できるものであれば何でもよく、例えば、専用の液晶表示装置、ＣＲＴ、パソコンやテレビ等が挙げられる。
【００７０】
〔１−６．励起光の照射角度が調節されるプロセス〕
上記で説明したようなプローブ２を、皮膚表面に対して傾けて接触させたときに、励起光の照射角度が調節されるプロセスの概要を、図７（ａ）および図７（ｂ）を参照することによって説明する。
【００７１】
図７（ａ）は、接触平面６を皮膚表面に接触させて、照射角度が調節される前の状態を示している。図７（ｂ）は、皮膚表面に、接触平面６を接触させて、照射角度が調節された後の状態を示している。
【００７２】
図７（ａ）に示すように、プローブ２を傾けて皮膚表面に近づけ、接触平面６の端部分が部分的に皮膚表面に接触しているとき、皮膚表面から接触平面６の一部に対して圧力が加わる。皮膚表面から接触平面６の一部に対して圧力が加わることによって、Ｘ方向可動部４に対して、図７（ａ）に示されている矢印のようにＸ方向回転軸７を中心として時計回りの方向に回転力が生じる。当該回転力によって、Ｘ方向可動部４がＸ方向回転軸７を回転の中心として時計回りの方向に回転する。Ｘ方向可動部４が回転することによって、図７（ｂ）に示されるように、接触平面６を皮膚表面に適切に接触させることができる。そして、図７（ｂ）に示すように接触平面６を皮膚表面に対して適切に接触させることにより、バンドルファイバー９が配置されている中心軸が皮膚表面に対してほぼ垂直となっている状態を維持して励起光を照射することが可能となる。
【００７３】
〔１−７．Ｚ方向可動部の構成について〕
さらに、皮膚表面に対して離間ないし接近させる方向（Ｚ方向）に接触平面６を移動させるＺ方向可動部（移動機構）２３を設けることによって、接触平面６が、皮膚表面に接触する圧力を調節することができる。圧力を適切に調節することによって、励起光の照射角度を安定させることができる。ゆえに、再現性の高い測定を行うことができる。
【００７４】
図８（ａ）および図８（ｂ）は、Ｚ方向可動部２３をプローブ１０２に設けたときを示す図である。特に、図８（ａ）はプローブ１０２の縦断面図であり、図８（ｂ）はＹ方向可動部１０５およびＸ方向可動部４の側面図を示している。
【００７５】
図８（ａ）および図８（ｂ）に示すように、Ｚ方向可動部２３は、プローブ本体部２とＹ方向可動部５との間に配置されている。接触平面６が皮膚表面に対して接触する方向および離間する方向に、Ｚ方向可動部２３が伸縮するように配置すればよい。
【００７６】
また、Ｚ方向可動部２３は、弾性があるものであれば何で構成されてもよい。例えば、スプリングやゴム等が考えられる。
【００７７】
そして、Ｚ方向可動部２３の伸縮に伴ってＹ方向可動部１０５をＺ方向に適切に移動させるために、Ｙ方向可動部１０５にはＹ方向回転軸受１１７が設けられている。Ｙ方向回転軸受１１７の内部には、Ｙ方向回転軸８がＺ方向に上下動できるよう、Ｚ方向可動部２３が伸縮する方向に長い穴が形成されている。
【００７８】
〔１−８．初期位置設定機構の構成について〕
接触平面６は、外力が加えられていないときには、初期状態（所定の位置）にあることが好ましい。初期状態とは、各可動部によって、励起光の照射角度が調節される前の状態の位置にあることである。たとえば、図９（ａ）、図９（ｂ）および図１０に示されるように、Ｘ方向可動部２０４と、Ｙ方向可動部２０５と、プローブ取手部２０３との皮膚表面に接触する側の面がすべて平行になっているときの状態のことである。
【００７９】
そして、接触平面６が皮膚表面から離れたとき、接触平面６を初期状態に戻すために、図９（ａ）、図９（ｂ）、または図１０に示すように、初期位置設定機構２４ａがＸ方向可動部２０４とＹ方向可動部２０５との間に設けられており、さらに、図１０に示すように、初期位置設定機構２４ｂがＹ方向可動部２０５とプローブ取手部２０３との間に設けられている。
【００８０】
まず図９（ａ）および図９（ｂ）を参照して、Ｘ方向可動部２０４とＹ方向可動部２０５の間に設けられる初期位置設定機構２４ａの構成についてより具体的に説明する。図９（ｂ）に示すように、スプリング受け２５ａをＸ方向可動部２０４と一体的に接続し、スプリング受け２５ｂをＹ方向可動部２０５と一体的に接続している。スプリング受け２５ａとスプリング受け２５ｂとは、２本のスプリング２６によって接続されている。このように接続されたスプリング受け２５ａ・２５ｂと、２本のスプリング２６とによって、初期位置設定機構２４ａは構成される。このような初期位置設定機構２４ａは、Ｘ方向可動部２０４を挟むように２箇所設けられている。
【００８１】
また、図１０には、Ｙ方向可動部２０５と、プローブ取手部２０３との間に設けられる初期位置設定機構２４ｂを備えたプローブ２０２の構成を示す。図１０で示すように、Ｙ方向可動部２０５にはスプリング受け２５ｃが一体的に接続され、プローブ取手部２０３にはスプリング受け２５ｄが一体的に接続されている。このように接続されたスプリング受け２５ｃ・２５ｄと、スプリング受け２５ｃとスプリング受け２５ｄとを接続する２本のスプリング２６とにより、初期位置設定機構２４ｂは構成される。このような初期位置設定機構２４ｂは、Ｙ方向可動部２０５を挟むように２箇所設けられている。
【００８２】
上述のような初期位置設定機構２４ａ・２４ｂを設けることにより、図９（ｃ）で示されるように、照射角度を調節するために、Ｘ方向可動部２０４が傾いている場合であっても、接触平面６に対して外力が加わっていないときには接触平面６を初期状態に戻すことができる。これにより、ユーザに実使用上の習熟度を高めることができる。なぜなら、Ｘ方向可動部２０４またはＹ方向可動部２０５が、それぞれの回転軸（Ｘ方向回転軸７またはＹ方向回転軸８）によって可動させられていた場合、接触平面６を皮膚表面から離すと、初期位置設定機構２４ａ・２４ｂによって、接触平面６は初期状態の位置に戻る。このように、接触平面６が初期状態に戻ったことをユーザが知ることによって、接触平面６を傾けて皮膚表面に接触させていたことを、ユーザは認識することができる。このように、ユーザが接触平面６を皮膚表面に接触させるときに、接触部が初期状態の位置にあることで、初期状態の位置で接触を行うことをユーザに意識付けることができる。よって、ユーザは所定の位置で接触を行うトレーニングをすることができるため、ユーザの実使用上の習熟度が向上し、接触角度、圧力等が適切な状態で生体に接触させられる。ゆえに、測定再現性の向上に繋げることができる。
【００８３】
なお、図９（ａ）、図９（ｂ）および図１０に示すように、初期状態においては、Ｘ方向可動部２０４と、Ｙ方向可動部２０５と、プローブ取手部２０３との皮膚表面に接触する側の面とは、すべて平行な状態になっているが、必ずしもこれに限定されるものではない。たとえば、プローブ取手部２０３に対してＸ方向可動部２０４やＹ方向可動部２０５の少なくとも一方が傾いた状態が、初期状態であってもよい。
【００８４】
また、本実施の形態において、接触平面６からプローブ取手部２０３の方向へ順にＸ方向可動部２０４と、Ｙ方向可動部２０５と、Ｚ方向可動部２３とが形成されているが、これに限定されるものではない。例えば、接触平面６からプローブ取手部２０３の方向へ順に、Ｘ方向可動部２０３、Ｚ方向可動部２３、Ｙ方向可動部２０５の順に形成されていてもよい。
【００８５】
〔２．他の可動機構について〕
〔２−１．弾性可動機構の構成について〕
励起光の照射角度を調節する構成は、弾性体によっても実現することができる。図１１は、弾性可動機構３２７ａによって接触平面６の励起光の照射角度を調節する構成を示した図である。
【００８６】
図１１に示すように、プローブ３０２は、プローブ取手部３０３と、可動部３２８と、弾性可動機構３２７ａと、接触平面６と、バンドルファイバー９とから構成されている。プローブ取手部３０３は、弾性可動機構３２７ａによって可動部３２８と接続されている。なお、図１１では、プローブ取手部３０３と可動部３２８とが接続されている箇所の数は６箇所であるが、プローブ取手部３０３と可動部３２８とを接続する箇所の数は適宜調節すればよい。
【００８７】
また、可動部３２８の皮膚表面に接触する側には、接触平面６が設けられている。そのため、弾性可動機構３２７ａの伸縮に連動して、可動部３２０および接触平面６が動く。弾性可動機構３２７ａは可動方向に制限がないため、図１等で示されたような回転軸を用いて可動部を回転させる構成よりも、より自由な角度調節を行うことができる。
【００８８】
なお、弾性可動機構３２７ａは、バネやゴム等の材料を用いることができ、簡易な構成とすることができる。
【００８９】
〔２−１−１．ゴムにより照射角度を調節する構成〕
また、図１２に示すように、プローブ取手部３０３と可動部３２８との間を、弾性可動機構３２７ｂとしてのゴムによって充填する構成としてもよい。
【００９０】
プローブ取手部３０３と可動部３２８との間を弾性可動機構３２７ｂによって充填することによっても、弾性可動機構３２７ａを用いた場合と同様に、可動方向に制限がないため、図１等で示されたような回転軸を用いて可動部を回転させる構成よりも、自由な角度調節を行うことができる。また、プローブ取手部３０３と可動部３２８との間にゴム等を充填させればよいだけであるので、回転軸を設けるよりも生産が簡易になる等の効果もある。
【００９１】
〔２−２．球体による照射角度を調節する構成について〕
図１３（ａ）および図１３（ｂ）は、球体４２９（回転体）を配置することによって励起光の照射角度を調節する構成である。図１３（ｂ）に示すように、球体４２９は、プローブ取手部４０３と可動部４２８との間に配置されている。そのために、プローブ取手部４０３には、球体４２９が配置されるように窪みがある（図１３（ａ）参照）。
【００９２】
本構成は、接触面６が皮膚表面に接触することで接触面６に加わる力によって、可動部４２８を介して球体４２９が回転し、励起光の照射角度が調節される。さらに、励起光の照射角度を調節するために球体４２９を配置することによって、可動部４２８を滑らかに動かすことができる。これにより、接触平面６も滑らかに動かすことができるため、滑らかに励起光の照射角の調節を行うことができる。
【００９３】
〔２−３．ローラーによる照射角度を調節する構成について〕
また、図１４に示すように、ローラー５３０（回転体）を用いて励起光の照射角度を調節してもよい。ローラー５３０は、図１３（ａ）または図１３（ｂ）に示す球体４２９と同様に、プローブ取手部５０３と可動部５２８との間に配置されている。さらに、プローブ取手部５０３には、ローラー５３０が配置されるための窪みが設けられている。その窪みには、ローラー５３０を固定することができるように、ローラー５３０の軸受け（図示せず）も設けられている。
【００９４】
このようにローラー５３０を設ける構成によっても、図１３（ａ）または図１３（ｂ）に示される球体４２９を設けた構成と同様に、可動部５２８は滑らかに動かすことができる。このように、可動部５２８が滑らかに動くため、接触平面６は滑らかに動く。よって、ユーザは滑らかに励起光の照射角の調節を行うことができる。
【００９５】
〔３．接触面のサイズを縮小した構成について〕
図１５（ａ）は、Ｘ方向可動部６０４の皮膚に接触する側の面と比較して小さな面積の接触平面６０６を備えたＸ方向可動部６０４を上方から見た図であり、図１５（ｂ）は、Ｘ方向可動部６０４を正面からみた図であり、図１５（ｃ）はＸ方向可動部６０４を下方からみた図であり、図１５（ｄ）はＸ方向可動部６０４を側方からみた図を示している。
【００９６】
図１５（ａ）に示すように、Ｘ方向可動部６０４の皮膚に接触する側の面よりも接触平面６０６を小さくすることによって、ユーザは、測定部位を認識しやすくなるという効果がある。なぜなら、接触平面６０６の面積が小さいため、接触平面６０６により皮膚表面が覆い隠される面積も狭くなる。これにより、ユーザが測定したい測定対象位置が接触平面６０６により隠されてしまうことも防止されることにより測定対象位置が見えやすくなるからである。
【００９７】
また、図１５（ｂ）および図１５（ｄ）に示すように、接触平面６０６は、Ｘ方向可動部６０４よりも面積が小さいため、接触平面６０６とＸ方向可動部６０４とを同じ面積とするよりも、接触平面６０６により皮膚表面に付与される単位面積あたりの圧力が大きくなる。このように皮膚表面にかかる圧力が大きいほうが、ユーザは接触平面６０６が皮膚表面に接触した場所を敏感に感じることができるため、ユーザは測定部位を認識しやすくなる。
【００９８】
〔４．突起構造および隆起構造について〕
図１６（ａ）〜図１６（ｄ）は、突起構造（接触補助部）７３１または隆起構造（接触補助部）７３２をＸ方向可動部７０４に配置していることを示す図である。このように突起構造７３１を設ける利点について、以下に説明する。
【００９９】
すなわち、接触平面７０６の面積が小さいとき、接触平面７０６にかかる回転力が小さくなり、励起光の照射角をうまく調節することができない虞がある。そのために、突起構造（接触補助部）７３１または、隆起構造（接触補助部）７３２を設けることにより、接触平面７０６にかかる回転力が大きくなるように構成されている。
【０１００】
図１６（ａ）は、突起構造７３１をＸ方向可動部７０４に２箇所配置した構成を示す図である。また、図１６（ｂ）は、突起構造７３１をＸ方向可動部７０４に３箇所配置した構成を示す図であり、図１６（ｃ）は、突起構造７３１をＸ方向可動部７０４に６箇所配置した構成を示す図である。このように、突起構造７３１の数は適宜選択すればよい。
【０１０１】
ただし、突起構造７３１が配置される位置は、接触平面７０６の中心から半径１ｃｍ程度の円周上であることが好ましい。また、突起構造７３１の皮膚表面に接触する側の先端と、接触平面７０６の皮膚表面に接触する側の表面とが同一平面となるよう、Ｘ方向可動部７０４から接触平面７０６が突出する方向と同じ方向に、突起構造７３１はＸ方向可動部７０４から突出していることが好ましい。なお、突起構造７３１の皮膚表面に接触する側の先端と、接触平面７０６の皮膚表面に接触する側の表面との間には、１ｍｍ程度の高低差が存在してもよい。
【０１０２】
また、図１６（ｄ）に示すように、突起構造７３１の代わりに隆起構造７３２を設けてもよい。このように隆起構造（接触補助部）７３２をＸ方向可動部７０４に配置することによっても、接触平面７０６の面積が小さいときであっても、接触平面７０６にかかる回転力が大きくなるよう構成できる。
【０１０３】
また、隆起構造７３２の形状は、図１６（ｄ）に示すように、円形であってもよいし、接触平面７０６を取り囲むような多角形であってもよい。ただし、隆起構造７３２が配置される位置は、突起構造７３１が配置される位置と同様に、接触平面７０６の中心から半径１ｃｍ程度の円周上であることが好ましい。また、突起構造７３１の皮膚表面に接触する側の先端と、接触平面７０６の皮膚表面に接触する側の表面とが、同一平面となるよう、Ｘ方向可動部７０４から接触平面７０６が突出する方向と同じ方向に、隆起構造７３２はＸ方向可動部７０４から突出していることが好ましい。なお、隆起構造７３２の皮膚表面に接触する側の先端と、接触平面７０６の皮膚表面に接触する側の表面との間には、１ｍｍ程度の高低差が存在してもよい。
【０１０４】
次に、突起構造７３１または隆起構造７３２を、Ｘ方向可動部７０４に配置することによって、接触平面７０６にかかる回転力が大きくなる理由を、図１７（ａ）および図１７（ｂ）を参照して説明する。
【０１０５】
図１７（ａ）の点ａから点ｃに引かれている直線は、接触平面を示している。また、図１７（ｂ）の点ｄから点ｆは、接触平面および突起構造を含めた皮膚表面に接触する面を示している。つまり、図１７（ａ）よりも図１７（ｂ）のほうが皮膚表面に接触する面は広い。
【０１０６】
また、図１７（ａ）において、回転軸から点ｂに下ろされた線分を線分ｌとすると、線分ｌは回転軸から接触平面の中心までの距離を示している。さらに、回転軸から点ａまでの直線を線分ｒ１とし、その長さをｒ１とする。そして、接触平面ａ−ｃと皮膚表面がなす角をθとする。また、皮膚表面に接触している点ａにかかる外力を
【０１０７】
【数１】
2013140038.tif 000003
【０１０８】
とする。そして、線分ｒ１と
【０１０９】
【数２】
2013140038.tif 000004
【０１１０】
とがなす角をα１とする。
【０１１１】
このとき、点ａにかかる回転トルクは、
【０１１２】
【数３】
2013140038.tif 000005
【０１１３】
で表される。上記式は、外積の定義より、
Ｎ１＝ｒ１Ｆ１Ｓｉｎα１
となる。
【０１１４】
また、図１７（ｂ）において、回転軸から点ｅに下ろされた線分を線分ｌとすると、線分ｌは回転軸から接触平面の中心までの距離を示している。さらに、回転軸から点ｄまでの直線を線分ｒ２とし、その長さをｒ２としている。そして、接触平面ｄ−ｆと皮膚表面がなす角をθとする。また、皮膚表面に接触している点ｄにかかる外力を
【０１１５】
【数４】
2013140038.tif 000006
【０１１６】
とする。なお、
【０１１７】
【数５】
2013140038.tif 000007
【０１１８】
とする。また、
線分ｒ２と
【０１１９】
【数６】
2013140038.tif 000008
【０１２０】
とがなす角をα２とする。
【０１２１】
このとき、点ａにかかる回転トルクは、
【０１２２】
【数７】
2013140038.tif 000009
【０１２３】
で表される。上記式は、外積の定義より、
Ｎ２＝ｒ２Ｆ２Ｓｉｎα２
となる。
【０１２４】
よって、上記より
ａｃ＜ｄｆ
であるから、
ｒ１＜ｒ２
であるから、
α１＜α２
となるため、
ｒ１Ｆ１Ｓｉｎα１＜ｒ２Ｆ２Ｓｉｎα２
であり、
Ｎ１＜Ｎ２
となる。以上より、皮膚表面に接触する部分は面積が大きいほうが回転力も大きくなる。
【０１２５】
〔５．まとめ〕
以上のとおり、本発明に係る測定装置は、皮膚に対して励起光を照射することにより、皮膚内のＡＧＥｓを測定するものである。そして、励起光の生体に対する照射角度が調節されるように接触部を可動させる可動機構をプローブに備え、接触平面を適切に皮膚表面に接触させることによって、皮膚内のＡＧＥｓを高い再現性で測定することが可能となる。
【産業上の利用可能性】
【０１２６】
本発明は、皮膚内のＡＧＥｓをモニタリングすることで、肌の健康状態、老化を評価する測定装置に利用することができる。
【符号の説明】
【０１２７】
１                                            測定装置
２、１０２、２０２、３０２                    プローブ
３、２０３、３０３、４０３、５０３、６０３    プローブ取手部（プローブ本体部）
４、２０４、６０４、７０４                    Ｘ方向可動部（第１回転機構）
５、１０５、２０５、                          Ｙ方向可動部（第２回転機構）
６、６０６、７０６、                          接触平面（接触部）
７                                            Ｘ方向回転軸（第１回転軸）
８                                            Ｙ方向回転軸（第２回転軸）
９                                            バンドルファイバー
１０                                          励起側光ファイバー（照射部）
１１                                          受光側光ファイバー（受光部）
１２                                          Ｘ方向可動本体部
１３                                          照射／受光孔
１４ａ、１４ｂ、１４ｃ                        バンドルファイバー通過穴
１５                                          Ｘ方向回転軸受
１６                                          Ｙ方向可動本体部
１７、１１７                                  Ｙ方向回転軸受
１８                                          プローブ取手本体部
１９                                          励起光源
２０                                          分光器
２１                                          測定装置本体部
２２                                          表示部
２３                                          Ｚ方向可動部（移動機構）
２４ａ、２４ｂ                                初期位置設定機構
２５ａ、２５ｂ、２５ｃ、２５ｄ                スプリング受け
２６                                          スプリング
３２７ａ、３２７ｂ                            弾性可動機構（可動機構）
３２８、４２８、５２８                        可動部
４２９                                        球体（回転体）
５３０                                        ローラー（回転体）
７３１                                        突起構造（接触補助部）
７３２                                        隆起構造（接触補助部）
【図１】
2013140038.tif 000010
【図２】
2013140038.tif 000011
【図３】
2013140038.tif 000012
【図４】
2013140038.tif 000013
【図５】
2013140038.tif 000014
【図６】
2013140038.tif 000015
【図７】
2013140038.tif 000016
【図８】
2013140038.tif 000017
【図９】
2013140038.tif 000018
【図１０】
2013140038.tif 000019
【図１１】
2013140038.tif 000020
【図１２】
2013140038.tif 000021
【図１３】
2013140038.tif 000022
【図１４】
2013140038.tif 000023
【図１５】
2013140038.tif 000024
【図１６】
2013140038.tif 000025
【図１７】
2013140038.tif 000026